(57)【要約】      （修正有）【課題】第１の透視部材と第２の透視部材とで形成される空間の気密性を確保することが可能な表示装置を提供する。【解決手段】表示パネルを収容するケース体３０と、このケース体３０の開口側に配設された第１の透視部材４０と、第１の透視部材４０の表示パネル側に離間されて配設された第２の透視部材５０とを備えた表示装置において、第２の透視部材５０は、表示パネルの可視範囲外に形成される不可視部５２と、ケース体３０に設けられた複数個の位置決め部３７とそれぞれ位置決め可能な複数個の位置決め孔部５３とを有し、可視範囲外に配設される緩衝部材６０は、第１の透視部材４０と第２の透視部材５０との間の空間Ｓを密閉するように位置決め孔部５３の外側に設けられる本体部６１と、表示装置を正視した際に位置決め孔部５３を取り囲む囲み部６２とを備えている。【選択図】図２
2015025725.tif 000002
【特許請求の範囲】
【請求項１】
表示パネルを収容するケース体と、
前記ケース体の開口側に配設された第１の透視部材と、
前記第１の透視部材の前記表示パネル側に離間されて配設された第２の透視部材とを備えた表示装置において、
前記第２の透視部材は、前記表示パネルの可視範囲外に形成される不可視部と、前記ケース体に設けられた複数個の位置決め部とそれぞれ位置決め可能な複数個の位置決め孔部とを有し、
前記可視範囲外に配設される緩衝部材は、
前記第１の透視部材と前記第２の透視部材との間の空間を密閉するように前記位置決め孔部の外側に設けられる本体部と、
前記表示装置を正視した際に前記位置決め孔部を取り囲む囲み部とを備えていることを特徴とする表示装置。
【請求項２】
前記緩衝部材は、前記第１の透視部材の周縁部分に設けられた鍔部の背面側において、前記鍔部と前記第２の透視部材との間に挟持されていることを特徴とする請求項１記載の表示装置。
【発明の詳細な説明】
【技術分野】
【０００１】
本発明は、例えば自動車やオートバイ、農建機、水上バイク、船舶等の各種移動体に搭載される表示装置に関するものである。
【背景技術】
【０００２】
従来より、この種の表示装置にあっては、例えば下記特許文献１に記載されているものが知られている。この特許文献１に記載の表示装置は、表示器（表示パネル）を収容する樹脂製のケース体と、このケース体の開口側に配設された透光性樹脂材料からなる第１の透視部材と、この第１の透視部材の表示器側に離間されて配設された透光性樹脂材料からなる第２の透視部材と、第１の透視部材の周縁部分において、第１の透視部材と第２の透視部材との間に介在するように設けられるシール部材（緩衝部材）とを備え、このシール部材を第１の透視部材と第２の透視部材との間の空間を埋めるように設置することによって、第１の透視部材の内面の曇りを抑えながら、前記空間が密閉空間として構成されるものである。
【先行技術文献】
【特許文献】
【０００３】
【特許文献１】特開２０１０−３２４０４号公報
【発明の概要】
【発明が解決しようとする課題】
【０００４】
ところで、特許文献１に記載の表示装置において、表示器の可視範囲を定めるとともにケース体の内部に収容されている内機部品（例えば表示器駆動用の回路基板等）が第１、第２の透視部材を通じて視認者側から不可視状態となるように、前記可視範囲を除いた領域（つまり可視範囲外）に対応する第２の透視部材の背面箇所に黒色印刷層を設ける場合がある。
【０００５】
そして、このように第２の透視部材の背面に黒色印刷層をスクリーン印刷等の手段を用いて印刷形成する場合、黒色印刷層を印刷形成する際の印刷ズレに起因して、表示器の可視範囲と表示器の可視範囲外との境界が位置ズレすることが考えられる。
【０００６】
そこで、この位置ズレを最小限に抑制するために、第２の透視部材とケース体とを位置決めする手法がある。例えば第２の透視部材における適宜箇所（例えばシール部材が設置される位置よりも内側に位置する第２の透視部材の所定箇所）に第２の透視部材の表裏を貫通する貫通孔形状からなる位置決め孔部を設けるとともに、この位置決め孔部に対応するケース体箇所に凸部からなる位置決め部を設け、ケース体の位置決め部が第２の透視部材の位置決め孔部に位置決めされることで、第２の透視部材とケース体とを位置決めすることができる。
【０００７】
しかしながら、上記のようにケース体の位置決め部と第２の透視部材の位置決め孔部とを利用して、ケース体と第２の透視部材とを位置決めする場合にあっては、寸法公差によって位置決め部と位置決め孔部との間のクリアランスを完全になくす（零にする）ことはできないため、第１の透視部材と第２の透視部材との間の空間に存在している内部空気の一部が前記クリアランスを通って前記空間の外部へと漏れて、前記空間の気密性が低下してしまうという問題点があり、この点で更なる改良の余地が残されていた。
そこで本発明は、前述の課題に対して対処するため、ケース体の位置決め部と第２の透視部材の位置決め孔部とを利用してケース体と第２の透視部材とを位置決めする場合であっても、第１の透視部材と第２の透視部材とで形成される空間の気密性を確保することが可能な表示装置の提供を目的とするものである。
【課題を解決するための手段】
【０００８】
本発明は、表示パネルを収容するケース体と、前記ケース体の開口側に配設された第１の透視部材と、前記第１の透視部材の前記表示パネル側に離間されて配設された第２の透視部材とを備えた表示装置において、前記第２の透視部材は、前記表示パネルの可視範囲外に形成される不可視部と、前記ケース体に設けられた複数個の位置決め部とそれぞれ位置決め可能な複数個の位置決め孔部とを有し、前記可視範囲外に配設される緩衝部材は、前記第１の透視部材と前記第２の透視部材との間の空間を密閉するように前記位置決め孔部の外側に設けられる本体部と、前記表示装置を正視した際に前記位置決め孔部を取り囲む囲み部とを備えていることを特徴とする。
【０００９】
また本発明は、前記緩衝部材は、前記第１の透視部材の周縁部分に設けられた鍔部の背面側において、前記鍔部と前記第２の透視部材との間に挟持されていることを特徴とする。
【発明の効果】
【００１０】
本発明によれば、初期の目的を達成でき、ケース体の位置決め部と第２の透視部材の位置決め孔部とを利用してケース体と第２の透視部材とを位置決めする場合であっても、第１の透視部材と第２の透視部材とで形成される空間の気密性を確保することが可能な表示装置を提供できる。
【図面の簡単な説明】
【００１１】
【図１】本発明の実施形態による表示装置の断面図。
【図２】図１中、Ａ部を示す拡大断面図。
【図３】同実施形態による第１の透視部材を取り除いた状態の表示装置の要部正面図。
【発明を実施するための形態】
【００１２】
以下、図１〜図３に基づいて、本発明を水上バイクのごとき移動体に搭載された表示装置に適用した一実施形態を説明する。
【００１３】
図１において、本実施形態による表示装置は、表示パネル１０と、この表示パネル１０を支持する支持体２０と、表示パネル１０及び支持体２０等を収容するケース体３０と、このケース体３０の開口側（前面開口側）に配設された第１の透視部材４０と、この第１の透視部材４０の表示パネル１０側に離間されて配設された第２の透視部材５０と、この第２の透視部材５０の周縁部分を覆う断面略コの字形状の緩衝部材６０とを備えている。
【００１４】
表示パネル１０は、例えば一対のガラス基板間にＴＮ型の液晶分子を封入した周知のＴＮ型液晶表示パネルからなり、表示パネル１０の表示エリアに対応するように設けられる可視範囲Ｒ１にて所定情報を表示するものである。前記所定情報としては、例えば移動体の速度情報や回転数情報、燃費情報を採用することができる。
【００１５】
支持体２０は、例えば合成樹脂からなり、断面略凹部形状にて形成され、表示パネル１０を載置するための支持部材である。
【００１６】
ケース体３０は、例えば黒色の遮光性合成樹脂からなり、表示パネル１０や支持体２０、第２の透視部材５０を収容するものである。このケース体３０は、底壁部３１と側壁部３２とを備え、底壁部３１とは反対側となる側壁部３２の上端側（前記前面開口側）が開口した断面略逆凹部形状にて形成されている。
【００１７】
底壁部３１は、略平板状に形成され、支持体２０及び第２の透視部材５０の背後側に位置している。そして、底壁部３１の外周縁から第１の透視部材４０側に向けて立壁状に延びている側壁部３２は、その上端側が略Ｌ字状に折れ曲がっており、側壁部３２の外側に位置する立壁部３３と、この立壁部３３と側壁部３２とを連結する連結部３４とを備えている（図２参照）。
【００１８】
立壁部３３は、第１の透視部材４０に備えられる後述する鍔部の側方を覆うようにその先端側に位置する略枠形状の肉薄部３５と、第２の透視部材５０（表示パネル１０）の板面方向に沿った厚さが肉薄部３５の厚さよりも肉厚に形成された肉厚部３６とを有しており、この肉厚部３６は、緩衝部材６０の側方を覆っている。
【００１９】
また、連結部３４側とは反対側となる側壁部３２の内周部には、第２の透視部材５０に備えられる後述する位置決め孔部と位置決め可能な円柱状の凸部からなる位置決め部３７が設けられている。この位置決め部３７は、立壁部３３と略平行状態をなすように第１の透視部材４０に備えられる後述する鍔部に向けて延び、第２の透視部材５０の前方側に飛び出ないように前記位置決め孔部に位置決め固定されるものである。なお、この場合、位置決め部３７は、側壁部３２の内周部に沿って、複数個（少なくとも２個以上）形成されているものとする。
【００２０】
第１の透視部材４０は、透光性合成樹脂（例えば無色透明なアクリル樹脂）によって形成され、透視部４１と壁部４２と鍔部４３とが一体形成された構成となっている。
【００２１】
透視部４１は、表示装置を視認する視認者側が湾曲した凸面となるような形状となっており、壁部４２は透視部４１の外周縁から下方（第２の透視部材５０側）に垂下形成された垂下壁形状となっている。
【００２２】
鍔部４３は、壁部４２の下端側から第２の透視部材５０の板面方向に沿って外側に延在するフランジ形状からなり、その外周縁が立壁部３３の肉厚部３６上に載置される。ところで、本例の場合、肉厚部３６とこれに対応するように第１の透視部材４０の周縁部分に設けられた鍔部４３部分とは、超音波溶着等を用いて互いに固着されている。また、鍔部４３の背面側において、緩衝部材６０は、その後述する本体部の一部（つまり鍔部４３と接触している前記本体部箇所）と、後述する囲み部とが鍔部４３と第２の透視部材５０との間に挟持されている。
【００２３】
なお、壁部４２と鍔部４３との境界付近及びその近傍を除いた鍔部４３部分には、緩衝部材６０（つまり前記本体部と前記囲み部の双方）を前記板面方向とは直交する方向に圧縮させるための圧縮リブ（突出部）４４が設けられている。
【００２４】
第２の透視部材５０は、その母材となる透光性合成樹脂（例えば無色透明なアクリル樹脂）からなる平板状の透光性基板５１と、この透光性基板５１の背面に印刷形成された黒色印刷層からなる不可視部５２とを有している。
【００２５】
また、この場合、ケース体３０に設けられた複数個の位置決め部３７に対応する透光性基板５１箇所には、複数個の位置決め部３７とそれぞれ位置決め（嵌合）可能な円形の貫通孔形状からなる複数個の位置決め孔部５３が透光性基板５１の表裏を貫通するように開口形成されている。
【００２６】
不可視部５２は、前記表示エリア（可視範囲Ｒ１）以外の領域である表示パネル１０の可視範囲外Ｒ２に対応する透光性基板５１の背面箇所に印刷形成されている。そして、可視範囲外Ｒ２に位置している各位置決め部３７が、同様に可視範囲外Ｒ２に位置している各位置決め孔部５３にそれぞれ位置決めされた状態（つまり第２の透視部材５０がケース体３０に固定された状態）にあっては、不可視部５２（前記黒色印刷層）の印刷ズレに伴う可視範囲Ｒ１と可視範囲外Ｒ２との境界の位置ズレを極力抑制することが可能となる。
【００２７】
なお、視認者は、表示パネル１０の表示エリアに表示される前記所定情報を可視範囲Ｒ１に対応する透光性基板５１部分、及び可視範囲Ｒ１に対応する透視部４１部分を通じて透視可能となっている。また、不可視部５２は、透光性基板５１の背面ではなく、表示パネル１０の可視範囲外Ｒ２に対応する透光性基板５１の表面箇所に印刷形成してもよい。
【００２８】
緩衝部材６０は、図３に示すように、第２の透視部材５０の周縁全周に巻かれた弾性を有する黒色の防水パッキン（シール部材）からなり、第１の透視部材４０と第２の透視部材５０との間の空間Ｓを密閉するように位置決め孔部５３（位置決め部３７）の外側に設けられる本体部６１と、視認者側から表示装置を正視した際に複数個の位置決め孔部５３（複数個の位置決め部３７）をそれぞれ取り囲むように設けられた略環状の囲み部６２とを備え、この場合、本体部６１及び複数個の囲み部６２は、ともに第２の透視部材５０の周縁部分及びその近傍（つまり可視範囲外Ｒ２）に配置（配設）されている。
【００２９】
本体部６１は、緩衝部材６０の主要部を構成しており、断面略コの字形状に形成され、鍔部４３と透光性基板５１との間、第２の透視部材５０側面と肉厚部３６との間、並びに連結部３４と不可視部５２との間に存在する空間部分を全て埋めるように、第２の透視部材５０の周縁全周に巻かれている。
【００３０】
また、囲み部６２は、個々の位置決め孔部５３を迂回する形で本体部６１と一体的に形成されている。なお、この場合、前記超音波溶着によってケース体３０と第１の透視部材４０とが固着された際に、緩衝部材６０（本体部６１及び囲み部６２）は、鍔部４３に設けられた圧縮リブ４４によって、圧縮リブ４４と接触している本体部６１部分、及び囲み部６２が圧縮するように構成されている。
【００３１】
従って、囲み部６２によって位置決め孔部５３を迂回しつつ、本体部６１が第２の透視部材５０の周縁全周に巻かれることによって、寸法公差に伴って位置決め部３７と位置決め孔部５３との間にクリアランスが存在していたとしても、囲み部６２が空間Ｓに存在している内部空気の一部を位置決め部３７と位置決め孔部５３との間（つまり前記クリアランス）へと導かないような空気遮断部としての機能を有していることから、従来のように内部空気の一部が前記クリアランスを通って空間Ｓの外部（例えばケース体３０と第２の透視部材５０との間の空間領域）へと漏れることがなくなり、第１の透視部材４０と第２の透視部材５０とで形成される空間Ｓの気密性を確保することが可能となる。
【００３２】
以上のように、本実施形態では、表示パネル１０を収容するケース体３０と、このケース体３０の開口側に配設された第１の透視部材４０と、第１の透視部材４０の表示パネル１０側に離間されて配設された第２の透視部材５０とを備えた表示装置において、第２の透視部材５０は、表示パネル１０の可視範囲外Ｒ２に形成される不可視部５２と、ケース体３０に設けられた複数個の位置決め部３７とそれぞれ位置決め可能な複数個の位置決め孔部５３とを有し、可視範囲外Ｒ２に配設される緩衝部材６０は、第１の透視部材４０と第２の透視部材５０との間の空間Ｓを密閉するように位置決め孔部５３の外側に設けられる本体部６１と、表示装置を正視した際に位置決め孔部５３を取り囲む囲み部６２とを備えているものである。また緩衝部材６０は、第１の透視部材４０の周縁部分に設けられた鍔部４３の背面側において、鍔部４３と第２の透視部材５０との間に挟持されているものである。
【００３３】
従って、寸法公差に伴って位置決め部３７と位置決め孔部５３との間にクリアランスが存在していたとしても、囲み部６２が空間Ｓに存在している内部空気の一部を位置決め部３７と位置決め孔部５３との間へと導かないような空気遮断部としての機能を有していることから、従来のように内部空気の一部が前記クリアランスを通って空間Ｓの外部へと漏れることがなくなり、第１の透視部材４０と第２の透視部材５０とで形成される空間Ｓの気密性を確保することが可能な表示装置を提供することができる。
【００３４】
また本実施形態では、前記超音波溶着によってケース体３０と第１の透視部材４０とが固着された際に、緩衝部材６０（本体部６１及び囲み部６２）は、鍔部４３に設けられた圧縮リブ４４によって、圧縮リブ４４と接触している本体部６１部分、及び囲み部６２が圧縮するように構成されていることにより、第１の透視部材４０と第２の透視部材５０とで形成される空間Ｓの気密性をより向上させることができる。
【符号の説明】
【００３５】
１０    表示パネル
２０    支持体
３０    ケース体
３２    側壁部
３３    立壁部
３４    連結部
３５    肉薄部
３６    肉厚部
３７    位置決め部
４０    第１の透視部材
４１    第１の透視部
４３    鍔部
４４    圧縮リブ（突出部）
５０    第２の透視部材
５１    第２の透視部
５２    不可視部
５３    位置決め孔部
６０    緩衝部材
６１    本体部
６２    囲み部
Ｒ１    表示エリア（可視範囲）
Ｒ２    可視範囲外
Ｓ    空間
【図１】
2015025725.tif 000003
【図２】
2015025725.tif 000004
【図３】
2015025725.tif 000005